Podtech/llm-jp-corpus-v4-ja_patent huggingface dataset:
(57)【要約】      （修正有）【課題】簡単に組み立てることができる段ボール製トレーを提供する。【解決手段】底壁１の周囲に各一対の側壁２及び端壁３を連設し、端壁３の上端に桟板４を連設し、側壁２及び端壁３を起立し、桟板４を内側に折り曲げて側壁２に係止することにより保形する組立トレーにおいて、前記側壁２の上端に付け根に係合切欠５を有する略Ｌ字型の耳片６を、前記桟板４の両端に略Ｌ字型の係合片７を設け、耳片６を内側に折り曲げ、下側に折り曲げた係合片７を係合切欠５に係合する。【選択図】図１
0003178010.tif 000002
【実用新案登録請求の範囲】
【請求項１】
底壁（１）の周囲に各一対の側壁（２）及び端壁（３）を連設し、端壁（３）の上端に桟板（４）を連設し、側壁（２）及び端壁（３）を起立し、桟板（４）を内側に折り曲げて側壁（２）に係止することにより保形する組立トレーにおいて、前記側壁（２）の上端に耳片（６）を、前記桟板（４）の両端に係合片（７）を設け、係合片（７）を耳片（６）に係合することにより保形することを特徴とする組立トレー。
【請求項２】
上記耳片（６）は付け根に係合切欠（５）を有する略Ｌ字型で、係合片（７）も略Ｌ字型で、耳片（６）を内側に折り曲げ、下側に折り曲げた係合片（７）を耳片（６）付け根の係合切欠（５）に係合することにより保形することを特徴とする請求項１記載の組立トレー。
【考案の詳細な説明】
【技術分野】
【０００１】この考案は青果物の運搬等に使用されるトレーに関するものである。
【背景技術】
【０００２】この種のトレーとして、例えば、下記特許文献１には底壁の周囲に各一対の側壁及び端壁を連設し、側壁の上端に耳片を設け、耳片の付け根に挿入孔を設け、端壁の上端に桟板を、桟板の両端に係合片を連設し、側壁及び端壁を起立し、耳片および桟板を内側に折り曲げ、係合片を下側に折り曲げて耳片の付け根の挿入孔に挿入することにより、桟板を側壁に係止し保形するトレーが記載されている。
【先行技術文献】
【特許文献】
【０００３】
【特許文献１】実開平３−５３４３０
【考案の概要】
【考案が解決しようとする課題】
【０００４】しかしながら、上記のようなトレーでは、係合片を挿入孔に挿入して桟板を側壁に係止する際、位置を厳密に合わさなければならず、成形に手間取るという問題がある。【０００５】そこでこの考案は、簡単に組み立てることができるトレーを提供することを課題とする。
【課題を解決するための手段】
【０００６】上記のような課題を解決するために、この考案は、底壁の周囲に各一対の側壁及び端壁を連設し、端壁の上端に桟板を連設し、側壁及び端壁を起立し、桟板を内側に折り曲げて側壁に係止することにより保形する組立トレーにおいて、前記側壁の上端に耳片を、前記桟板の両端に係合片を設け、係合片を耳片に係合するのである。【０００７】上記耳片は付け根に係合切欠を有する略Ｌ字型とし、係合片も略Ｌ字型として、耳片を内側に折り曲げ、下側に折り曲げた係合片を耳片付け根の係合切欠に係合するとより係合が強くなる。
【考案の効果】
【０００８】この考案に係るトレーでは、係合片を係合切欠に係合するだけで、厳密な位置合わせをしなくても成形できるので、作業性を向上することができる。
【図面の簡単な説明】
【０００９】
【図１】この考案に係るトレーのブランクを示す図
【図２】同上の組立過程を示す斜視図
【図３】同上の組立状態を示す斜視図
【考案を実施するための形態】
【００１０】以下この考案の実施形態を添付図面に基づいて説明する。
【００１１】このトレーは青果物の運搬等に使用される段ボール製のもので、図１に示すようなブランクから形成される。このブランクでは、長方形の底壁１の一対の長辺に側壁２が連設され、一対の短辺に端壁３が連設されている。端壁３の先端縁には桟板４が設けられ、側壁２の先端縁の両端部には付け根に係合切欠５を有する略Ｌ字型の耳片６が設けられている。桟板４の両側縁には略Ｌ字型の係合片７が設けられている。側壁２と端壁３は、４５度の折曲線を有する折込片８を介して連設されている。底壁１の両側縁には突起９が設けられ、側壁２の先端縁には突起９に対応する位置に受部１０が設けられている。
【００１２】このトレーは以下のようにして組み立てる。
図２に示すように底壁１から側壁２、端壁３を起立させる。耳片６を内側に、係合片７を下側に折り曲げながら桟板４を内側に折り曲げ、係合切欠５に係合片７を係合させると図３に示すトレーが成形される。桟板４を回動させるだけで係合切欠５と係合片７が係合するので、厳密な位置合わせをしなくても、簡単に組み立てることができる。
【００１３】上記のトレーを複数上下に段積する場合は、上のトレーの突起９が下のトレーの受部１０に嵌まり込み、積ずれによる荷崩れを防止する。
【００１４】上記実施例では耳片６を内側に折り曲げ、下側に折り曲げた係合片７を係合切欠５に係合するトレーを記載したが、耳片６を折り曲げずに直立した状態で係合片７を係合してもよい。耳片６、係合片７は略Ｌ字型以外の形状でもよい。
【符号の説明】
【００１５】１  底壁
２  側壁
３  端壁
４  桟板
５  係合切欠
６  耳片
７  係合片
８  折込片
９  突起
１０  受部
【図１】
0003178010.tif 000003
【図２】
0003178010.tif 000004
【図３】
0003178010.tif 000005
(57)【要約】      （修正有）【課題】フィルムシートと１対の留め具用いてうちわの一部を固定する事で形状を安定させ、使用感を高めた止め具付うちわを提供する。【解決手段】フィルムシート材料をトムソン打ち抜きで円形に加工、かつ加工時に構造体の下部に２つの穴を施す、そこに１対の雄雌構造を持つ留め具２，３を取付け、その留め具を固定することで材料の一部が重なり合いフィルムシートが湾曲し円錐状の構造になり、うちわを持ちやすくし、かつ、収納時は留め具を外す事で平面に戻る構造を持つ。さらに、前記の材料に対して、オフセット印刷を用いて絵や文字、写真などを印刷しても良い。【選択図】図１
0003178015.tif 000002
【実用新案登録請求の範囲】
【請求項１】
フィルムシート材料をトムソン打ち抜きで円形に加工、かつ加工時に構造体の下部に２つの穴を施す、そこに１対の雄雌構造を持つ留め具を取付け、その留め具を固定することで材料の一部が重なり合いフィルムシートが湾曲し円錐状の構造になり、うちわを持ちやすくし、かつ、収納時は留め具を外す事で平面に戻る構造を持つ事を特徴とする留め具付きうちわ
【請求項２】
前記の材料に対する印刷は、オフセット印刷を用いて絵や文字、写真などを印刷した請求項１に記載の留め具付きうちわ
【考案の詳細な説明】
【技術分野】
【０００１】  本考案は主として、フイルムシート材料に対して多目的に使用できる利便性の高いノベルティー商品に関するものである。
【背景技術】
【０００２】  従来のトムソン打ち抜き型うちわは、平面である為に安定して扇ぐにはうちわの持ち手部分を補強目的で材料を重ね厚くする等の加工が必要だった。
【考案が解決しようとする課題】
【０００３】  従来のトムソン打ち抜き型うちわは、平面である為に持ち手の一点に力がかかると、その部分を支点としてうちわが湾曲し効率よく風を送る事が出来なかった。
【０００４】  少なからずプラスチック製品は廃棄処理の段階で環境に負荷をかけてしまうという課題を持っているが、本考案である留め具付きうちわの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００５】  トムソンで打ち抜いた平面のうちわの下部、うちわを扇ぐときの支点となる部分に、トムソン加工時に２つの穴を施し、そこに１対の雄雌構造をもつ留め具を取付ける、使用時にその留め具を組み合わせる事で材料の一部が重なりうちわ全体を湾曲させる事でうちわを持ちやすく、かつ安定して扇ぐ事が出来る。
【考案実施の形態】
【０００６】  図１は本考案の留め具付きうちわ（１）の視図である。図１で留め具付きうちわ（１）には雄型留め具（ａ）雄型留め具（ｂ）構造体の中心で対称に離れて配置されている。そのためこの状態では雄型留め具（ａ）と雄型留め具（ｂ）は合体しておらずうちわは平面のままである。
【０００７】  図２は本考案の留め具付きうちわ（１）の斜図である。図１で留め具付きうちわ（１）は１枚のフィルムシートをトムソン加工で打ち抜いた後、雄型留め具（ａ）雄型留め具（ｂ）が装着されている状態である。この雄型留め具（ａ）雄型留め具（ｂ）を組み合わせる事で、留め具付きうちわ（１）は円錐状になる。
【０００８】  この留め具付きうちわ（１）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。
環境に優しい商品として使用する場合、宣伝広告効果を更に高めることができる。
【図面の簡単な説明】
【０００９】
【図１】本考案の留め具付きうちわの視図
【図２】図１の留め具付きうちわの斜図
【符号の説明】
【００１０】１  留め具付きうちわ
ａ  雄型留め具
ｂ  雌型留め具
【図１】
0003178015.tif 000003
【図２】
0003178015.tif 000004
(57)【要約】      （修正有）【課題】塵芥収集車の塵芥収容箱内において火災が発生した場合に、早期に検知してこれを運転席に知らせるための装置を提供する。【解決手段】塵芥収集車１の運転席後方の荷台上に設けられ、収容箱駆動装置により傾動駆動され、後部を開口した塵芥収容箱２と、該塵芥収容箱２と連通し、該塵芥収容箱２の後部上端側に軸支され、投入箱駆動装置により回動駆動される塵芥投入箱３と、該塵芥投入箱内３に投入された塵芥を前記塵芥収容箱２に積み込む積込装置とを備える塵芥収集車１で、前記塵芥収集車１の塵芥収容箱天井部外側に、該塵芥収容箱内火災の検知装置として、煙センサー６を取付ている場合において、該塵芥収容箱内２で火災が発生した場合に生じた煙を、該煙センサー６まで吸い出すための、前記検知装置と連動したファンモーター５を装着した。【選択図】図１
0003178017.tif 000002
【実用新案登録請求の範囲】
【請求項１】
塵芥収集車の運転席後方の荷台上に設けられ、収容箱駆動装置により傾動駆動され、後部を開口した塵芥収容箱と、該塵芥収容箱と連通し、該塵芥収容箱の後部上端側に軸支され、投入箱駆動装置により回動駆動される塵芥投入箱と、該塵芥投入箱内に投入された塵芥を前記塵芥収容箱に積み込む積込装置とを備える麈芥収集車で、前記塵芥収集車の塵芥収容箱天井部外側に、該塵芥収容箱内火災の検知装置として、煙センサーを取付ている場合において、該塵芥収容箱内で火災が発生した場合に生じた煙を、該煙センサーまで吸い出すための、前記検知装置と連動したファンモーターを装着したことを特徴とする塵芥収容箱内火災の早期検知装置。
【考案の詳細な説明】
【技術分野】
【０００１】  本考案は、塵芥収集車の塵芥収容箱内において火災が発生した場合に、早期に検知してこれを運転席に知らせる検知装置に関する。
【背景技術】
【０００２】  従来の塵芥収集車の塵芥収容箱内火災の検知装置には、該塵芥収容箱の内外や、塵芥投入箱の内外に、煙センサーを取付て、該塵芥収容箱内において火災が発生した場合に、検知してこれを運転席に知らせるものがある。
【考案の概要】
【考案が解決しようとする課題】
【０００３】  しかしながら、前記先行技術では、火災が発生した場合に生じた煙が、自然に、煙センサーまで届くのを待たなければならず、早期に検知してこれを運転席に知らせることができない。【０００４】  以上のことから、本考案は、塵芥収集車の塵芥収容箱内において火災が発生した場合に、早期に検知してこれを運転席に知らせるための装置を提供することを目的とする。
【課題を解決するための手段】
【０００５】  以上の課題を解決するために、本考案は、塵芥収集車の運転席後方の荷台上に設けられ、収容箱駆動装置により傾動駆動され、後部を開口した塵芥収容箱と、該塵芥収容箱と連通し、該塵芥収容箱の後部上端側に軸支され、投入箱駆動装置により回動駆動される塵芥投入箱と、該塵芥投入箱内に投入された塵芥を前記塵芥収容箱に積み込む積込装置とを備える塵芥収集車で、前記塵芥収集車の塵芥収容箱天井部外側に、該塵芥収容箱内火災の検知装置として、煙センサーを取付ている場合において、該塵芥収容箱内で火災が発生した場合に生じた煙を、該煙センサーまで吸い出すための、前記検知装置と連動したファンモーターを装着したことを特徴とする塵芥収容箱内火災の早期検知装置。
【考案の効果】
【０００６】  本考案によれば、前記塵芥収容箱内で火災が発生した場合に生じた煙が、自然に、煙センサーまで届くのを待つことなく、装着したファンモーターが作動することにより、その煙を、人為的に早く、煙センサーまで吸い出して、早期に検知してこれを運転席に知らせることができる。
【図面の簡単な説明】
【０００７】
【図１】本考案の一実施形態を示す塵芥収集車の概略側面図である。
【考案を実施するための形態】
【０００８】  本考案に係る一実施形態を、図１を参照して以下説明する。
【実施例】  塵芥収集車１の塵芥収容箱２天井部外側に、塵芥収容箱２内で火災が発生した場合に生じる煙を検知するための検知装置ユニット４を設置した。該検知装置ユニット４の中に煙センサー６と、塵芥収容箱２内で火災が発生した場合に生じる煙を、煙センサー６まで吸い出して、早期に検知させるための、ファンモーター５を装着した。【０００９】  本実施例によれば、テストの結果、塵芥収容箱２内で火災が発生した場合に生じる煙を早期に検知することができた。本実施例によれば、該検知装置ユニット４を、塵芥収容箱２天井部外側に設置したが、塵芥収容箱２の内外や塵芥投入箱３の内外に設置してもよい。
【符号の説明】
【００１０】１  塵芥収集車
２  塵芥収容箱
３  塵芥投入箱
４  検知装置ユニット
５  ファンモーター
６  煙センサー
【図１】
0003178017.tif 000003
(57)【要約】      （修正有）【課題】サーフィンをする際に、手首に捲き、入水を防ぐバンドを提供する。【解決手段】細長い靴下の様な形で、上から下へ伸び下部で斜めに曲がり、その曲がる部分にホックを設け、最下部に丸孔３を設ける。ホックはウェットスーツのホックに留められる。最上部に舌部２を設け、舌部２には布製ファスナー（ベルクロ）を設けている。親指を丸孔３に入れ、手首に捲きつけホックで、ウェットスーツのホックに固定し、布製ファスナー（ベルクロ）で手首を締めて固定する。ホックでウェットスーツを固定してあるので、動いても、波が当たってもずれない。入水を殆ど完全に防ぐことができる。【選択図】図４
0003178019.tif 000002
【実用新案登録請求の範囲】
【請求項１】
下に伸び下で少し斜めに曲がった本体の上部に布製ファスナー（ベルクロ）の舌部を設け、他端に親指を入れる丸孔を設け、斜めに曲がる部分にウェットスーツのホックと合致するホックを設けたサーフィン等で手首に捲き入水を防ぐバンド。
【考案の詳細な説明】
【技術分野】
【０００１】  本考案はサーフィン等の時、手首に捲き、ウエットスーツの手首よりの入水を防ぐバンドに関するものである。【０００２】  ウェットスーツを着ていても、手首からの入水は全くは防げないのが現状である。
【考案の概要】
【考案が解決しようとする課題】
【０００３】  本考案は波に当たってもずれないで、ウェットスーツの手首よりの入水を防ぐもので、ウェットスーツを着ていても少し手首から入水するという問題を解決する。
【課題を解決するための手段】  本考案は下へ伸び下で少し斜めに曲がった本体の上部に布製ファスナー（ベルクロ）の舌部を設け、他端に親指を入れる丸孔を設け、斜めに曲がる部分にウェットスーツのホックと合致するホックを設けたサーフィン等で手首に捲き入水を防ぐバンドである。
【考案の効果】
【０００５】  本考案は波に当たってもずれない手首よりの入水を殆ど防げるバンドである。
【図面の簡単な説明】
【０００６】
【図１】  本考案のバンドの正面図である。
【図２】  本バンドの背面図である。
【図３】  実施の状態を示す展開斜視図である。
【図４】  実施の斜視図である。
【考案を実施するための形態】
【０００７】  １端部に布製ファスナー（ベルクロ）の舌部がついた細長い靴下の様な形をし、舌部から下へ伸び下で少し曲がり、他端に丸孔を設ける。その丁度曲がる部分にホックが設けられる。
【実施例】
【０００８】  以下添付図面に従って一実施例を説明する。１はバンド本体であり、伸縮性のある生地で作られる。本体は細長い靴下の様な形をしており、下へ伸び斜めに曲がる。最端部に舌部２が設けられている。他の最端部に丸孔３を設ける。そして斜めに曲がる部分にウェットスーツのホックをと合致するホック４を設ける。【０００９】  ウェットスーツにホックを設けておき、本体のホックで両者を合致させ留める。親指を丸孔に入れ手首を捲き、最後に舌部の布製ファスナー（ベルクロ）により固定する。【００１０】  ホックでウェットスーツに留まっているので、波に当たってもずれずに殆ど完全に入水を防げる。又、伸縮性によりフィット感があり、その日のコンディションに応じて、きつくしたり、ゆるくしたりできる。尚、数字５はウェットスーツである。
【符号の説明】
【００１１】  １．バンド本体
２．舌部
３．丸孔
４．ホック
５．ウェットスーツ
【図１】
0003178019.tif 000003
【図２】
0003178019.tif 000004
【図３】
0003178019.tif 000005
【図４】
0003178019.tif 000006
(57)【要約】      （修正有）【課題】人の動きに応じて表板と裏板の２枚がお互いに揺れることにより、その色合いや形の変化も楽しめるネックレスを提供する。【解決手段】表側に文字を透かし彫りした表板２１と、表面処理の異なる裏板２２との２枚からなるペンダントトップ２と、チェーン３から構成されるネックレス１で、人の動きに応じて表板２１と裏板２２が揺れるようにしたことを特徴とする。【選択図】図１
0003178021.tif 000002
【実用新案登録請求の範囲】
【請求項１】
表側に文字を透かし彫りした表板と、表面処理の異なる裏板との２枚からなるペンタンドトップとチェーンから構成されるネックレスで、表板の上孔２１２と裏板の下孔２２２を通したリング４でチェーンに接続することにより、人の動きに応じて表板と裏板が揺れるようにしたことを特徴とするネックレス。
【請求項２】
表板は裏板より薄く構成することにより、人の動きに応じて、より表板と裏板のずれが、大きくなるようにしたことを特徴とする請求項１記載のネックレス。
【考案の詳細な説明】
【技術分野】
【０００１】本考案は、文字を透かし彫りした表板と、表面処理が異なるご裏板の２枚からなるペンダントトップが付いた、ネックレスに関するものである。
【背景技術】
【０００２】現状のネックレス及び、それに取り付けられたペンダントトップは、宝石や、貴金属のハート型や星形などで、人が身に着けて動くことで揺れることがあっても、そのペンダントトップの形状は変化することがない。
【先行技術文献】
【特許文献】
【０００３】
【特許文献１】実用新案登録第３０１５８８０号公報
【考案の概要】
【考案が解決しようとする課題】
【０００４】従来商品は人が動いても、ペンダントトップの形状が変化したり、文字が透けて見えたりする事がなく、単に装飾品としてぶら下げられているだけである。
そこで、人の動きに応じて揺れることにより、その色合いや形の変化が楽しめるようにするものである。
【課題を解決するための手段】
【０００５】表側に文字を透かし彫りした表板と、表面処理の異なる裏板との２枚からなるペンタンドトップとチェーンから構成されるネックレスで、表板の上孔２１２と裏板の下孔２２２を通したリング４でチェーンに接続することにより、人の動きに応じて表板と裏板が揺れるようにしたことを特徴とするネックレス。【０００６】表板は裏板より薄く構成することにより、人の動きに応じて、より表板と裏板のずれが、大きくなるようにしたことを特徴とする請求項１記載のネックレス。
【考案の効果】
【０００７】（１）  表側に「絆」の文字を切り抜き、表面処理の異なる裏側の板面との２枚を合わせることで、結びあうという意図するところを強調できる。
（２）  また、２枚の板面が触れ合う軽やかな鈴のような音は、気持ちを和らげる音であり，精神的な面で癒しの助けになると考えられる。
（３）  表裏２枚の板面の表面処理を変えることにより、光が当たった時の光り方や色合いの違いを見ることができる。
（４）  裏板の板厚を表板よりも厚くし、表板の動きの変化がより大きくなるようにする。
【図面の簡単な説明】
【０００８】
【図１】本考案のリボン型ペンダントトップの付いたネックレスの図。（ａ）２枚のペンダントトップが合わさった状態。（ｂ）２枚のペンダントトップが開いた状態。
【図２】本考案のしずく型ペンダントップの付いたネックレスの図。（ａ）２枚のペンダントトップが合わさった状態。（ｂ）２枚のペンダントトップが開いた状態。
【考案を実施するための形態】
【０００９】以下本考案の構成について説明する。
図１は、この考案のリボン型ペンダントトップの付いたネックレスの構成で、（ａ）は、２枚のペンダントトップが合わさった状態、（ｂ）は２枚のペンダントトップが開いた状態を示す。
本考案のネックレスは、ペンダントトップ２と、チェーン３、リング４からなる。
チェーン３は、チェーン本体３１と、チェーン止め３２、及び、２つの磁気治療用マグネット３３，３４からなり、ペンタントトップの上部に設けた上孔２１２と裏板の下孔２２２に通されたリング４を介して接続している。２本の磁気治療用マグネット３３、３４は、チェーン本体３１と、チェーン止め３２の間に挿入している。
ペンダントトップ２は、表板２１と、裏板２２からなる。夫々の上部には、上孔２１２と下孔２２２を備えており。そこにリング４を通して、表板２１と、裏板２２は接続している。
チェーンが接続される表板２１には、「絆」の文字２１１を貫通して刻んでいる。
裏板２２には平板で文字は刻んでいない。
【００１０】図２は、本考案のしずく型ペンダントップの付いたネックレスの図である。（ａ）は、２枚のペンダントトップが合わさった状態、（ｂ）は、２枚のペンダントトップが開いた状態である。
図２のペンダントップはしずく型であり、それ以外は、図１で述べたリボン型のペンダントを用いたネックレスと構成は同じである
【００１１】本考案のネックレスは、静止してぶら下がっているときは、（ａ）のように、２枚のペンダントトップが合わさっており、揺れると（ｂ）のように、２枚のペンダントトップが開いて、文字を刻んだ表板と、文字を刻んでいない裏板がお互いにずれる。
例えば、ペンタントトップが人の首に掛かっている場合、ずれた表板の「絆」の文字を透かして、人の肌や着衣が見える。
【００１２】表側に文字を透かし彫りし、裏側の表面処理の異なる板面と、２枚組み合わせて、人の動きに応じて表裏２枚の板が擦れて触れ合う事により音が出たり、ずれて透かし彫りされた文字に、人肌が透けたり着衣の色が透けたりすることで、その２枚で作られる色合いや、形が変化する。
【産業上に利用可能性】
【００１３】揺れるペンダントトップ付ネックレスを提供する。
【符号の説明】
【００１４】１        ネックレス
２        ペンダントトップ
２１    表板
２１１  切り抜き文字
２１２  上孔
２２    裏板
２２２  下孔
３        チェーン
３１    チェーン本体
３２    チェーン止め
３３    磁気治療用マグネット
３４    磁気治療用マグネット
４        リング
【図１】
0003178021.tif 000003
【図２】
0003178021.tif 000004
(57)【要約】      （修正有）【課題】新聞紙等を容易に結束することができる結束用ロープを提供する。【解決手段】結束物を縛る結束用ロープであって、８字状になるよう結び目を作ると共に８字状を形成する２つの輪は、ほぼ同一の円周長さであり、更に少なくとも一方輪の円周上であって、２つの輪の交点の対象の位置に縛り部を設ける。【選択図】図１
0003178031.tif 000002
【実用新案登録請求の範囲】
【請求項１】
結束物を縛る結束用ロープであって、８字状になるよう結び目を作ると共に８字状を形成する２つの輪は、ほぼ同一の円周長さであり、更に少なくとも一方輪の円周上であって、２つの輪の交点の対象の位置に縛り部を設けたことを特徴とする結束用ロープ。
【考案の詳細な説明】
【技術分野】
【０００１】本願は、ポリエチレン製のロープを用いた書籍、雑誌、新聞等の結束物を十文字に縛る結束用ロープに関する．
【背景技術】
【０００２】従来、多くは書籍、雑誌、新聞等の結束物を縛る場合は、１本のロープを十文字にかけてバンドやロープの両端を縛って結束していた。
特に結束物の下面においてロープの交差部は固定されないため、縛ったロープがずれて結束が不安定になる事があった、更に十文字の交点を固定したクロス状梱包バンド（特許文献１参照）、結束ひも及び結束方法（特許文献２参照）が知られている。
【先行技術文献】
【特許文献】
【０００３】
【特許文献１】実用新案登録第３０８４１９２  公報
【特許文献２】特開２０１２−３０８９０号  公報
【考案の概要】
【考案が解決しようとする課題】
【０００４】バンドやロープで縛る際に手にかかる力はかなり大きく、また、結束に要する時間もかかっていた、更には、結束物の上下面のほぼ中央に結び目が来るように結束物を縛るので、縛られたロープがずれて結束が不安定になるという事はない、書籍、雑誌、新聞等の結束物を再生資源として提供する場合、ビニール紐は再生資源として使えないためその紐を取り除く必要がある。
【課題を解決するための手段】
【０００５】本願は、請求項１に記載した通り、結束物を縛る結束用ロープであって、８字状になるように結び目を作ると共に８字状を形成する２つの輪はほぼ同一の円周長さであり、更に少なくとも一方輪の円周上であって、２つの輪の交点の対象の位置に縛り部を設けたことを特徴とする結束用ロープである。
【考案の効果】
【０００６】本願によれば、書籍、雑誌、新聞等の結束する場合の困難性や、時間を抑えることが出来ると共に、また、ポリエチレン製のロープを素材として使用したので、書籍、雑誌、新聞等を再生資源として提供する場合、取り除く必要のない結束用ロープとしたので作業能率も向上する。
【図面の簡単な説明】
【０００７】
【図１】結束用ロープの斜視図である。
【図２】結束用ロープの上に結束物を載せて縛る準備に入る状態を示す平面図である。
【図３】結束物を縛る直前の状態を示す斜視図である。
【考案を実施するための形態】
【０００８】以下、本考案を図面に基づいて詳細に述べる。
【実施例】
【０００９】図１は本考案の代表的な結束用ロープ１を示す斜視図である、この結束用ロープ１は、素材の材質を限定するものではないが、特にポリエチレン製のロープを素材として使用すると書籍、雑誌、新聞等の結束物５を再生資源として提供する場合、結束用ロープ１を取り除く必要はないので好都合である。
最初にこの結束用ロープ１の作り方を説明する。所定の長さの１本のロープを２つ折りにし、ロープの両端に形成される縛り部４，４となる長さ分を残して結び目３を作る。またこの状態で大きな輪となったロープは８字状となるように、結び目３を作る、この２つからなる輪２，２の大きさは、ほぼ同じ円周となるように結び目３を形成する、なお、この例では、１本のロープで説明したが２本のロープを用いて８字状にしても良い。【００１０】図２は結束用ロープ１の上に結束物５を載せて縛る準備に入る状態を示す平面図である、この例では、結束物５である新聞紙を２つ折にして幅２７ｃｍ、長さ４１ｃｍ、高さ２０ｃｍに重ねた、この新聞紙を縛るために、１本のロープを用いて一つの輪２の円周長さが１０８ｃｍである輪２，２を２つ作り８字状にした、そしてロープの交点であると対称となる位置にはロープの両端に形成される縛り部４，４を結び目３により形成した。上記の通り作成した結束用ロープ１の８字状の交点である結び目３上に新聞紙を載せて８字状の２つの輪２，２を上面で引き寄せる。【００１１】引き寄せられた８字状の２つの輪２，２は、図３に示すように一方の輪２に形成された縛り部４のロープを相手側の輪２の中をくぐらせて新聞紙の束の上面において縛り、２つの輪２，２を連結することで結束が完了する。このように結束することで簡単に新聞紙を縛ることができ、縛られた新聞紙は、状下面のほぼ中央部の結び目３、３によりずれることなく結束状態が保たれる。
【符号の説明】
【００１２】１      結束用ロープ
２      輪
３      結び目
４      縛り部
５      結束物
【図１】
0003178031.tif 000003
【図２】
0003178031.tif 000004
【図３】
0003178031.tif 000005
(57)【要約】【課題】本考案は縦、横方向に相手のコマを「はさむ」一手と同時に、斜め方向も加えた「囲む」一手によっても相手のコマを裏返すことが可能なコマと盤面の形状を持ったリバースボードゲームを提供する。【解決手段】二等辺直角三角形のコマ、およびコマと同形同サイズの７２の二等辺直角三角形で仕切られた盤面を用いることにより、相手のコマに対して縦、横、４５度斜め方向に置きゴマができ、「はさむ」手に加え三角形の「辺を持つ」という特徴を活かした「囲む」手を成立させる。 【選択図】図１
0003178033.tif 000002
【実用新案登録請求の範囲】
【請求項１】
正方形を直角二等辺三角形でパターン分割した盤面、及び分割スペースと同形同サイズの直角二等辺三角形の表裏２色のコマを使用し、２人の対戦者がそれぞれ盤面の分割数と同数のコマを互いに色を変えて持つことを特徴とするリバースボードゲーム。
【請求項２】
自分のコマにより相手のコマを同じ長さの辺で直線的にかつ平行して偶数個「はさむ」、または１個以上の相手のコマの辺をすべて「囲む」ことによって相手のコマの色を自分のコマの色に裏返すことができ、更にこれを１手で同時に実現することも可能であることを特徴とする請求項１に記載のリバースボードゲーム。
【請求項３】
正方形を直角二等辺三角形でパターン分割した盤面の座標をアルファベットと数字２文字の組み合わせで表せることを特徴とする請求項１〜２に記載のリバースボードゲーム。
【請求項４】
パーソナルコンピューターもしくは携帯電話等の電子機器上で動作させる際にも請求項１〜３に記載の原理を適用するリバースボードゲーム。
【考案の詳細な説明】
【技術分野】
【０００１】
本考案は２名の対戦者が各々色の異なる二等辺直角三角形のコマを持ち、所定のルールに基づき、交互にコマと同形同サイズの多数の二等辺直角三角形で仕切られた盤面を埋めて行き、「はさむ」または「囲む」手を成立させて相手のコマを裏返すことで、最終的にどちらの色のコマが多いかをもって勝負を判定するリバースボードゲームに関する。
【背景技術】
【０００２】
従来のリバースボードゲームは、いわゆるリバーシ、オセロ（登録商標）のように対戦者のコマを「はさむ」ことによってのみ裏返し、最終的なコマの数を競うものであった。
【０００３】
コマの形状を正三角形としたリバースボードゲームも考案され、「はさむ」に加え「囲む」要素も加味されたが、コマを置く方向は相手のコマに対し６０度方向に限定されていた。
【先行技術文献】
【特許文献】
【０００４】
特開２００６−２１２３６３号
【非特許文献】
【０００５】
実開Ｈ７−１２１７３号
【考案の概要】
【考案が解決しようとする課題】
【０００６】
本考案は従来のリバースボードゲームのように縦、横方向に相手のコマを「はさむ」一手と同時に、４５度方向も加えた「囲む」一手によっても相手のコマを裏返すことが可能なコマと盤面の形状を得るものである。
【課題を解決するための手段】
【０００７】
本考案では二等辺直角三角形のコマ、およびコマと同形同サイズの７２の二等辺直角三角形で仕切られた盤面を用いることにより、相手のコマに対して縦、横、４５度斜め方向に置きゴマができ、「はさむ」または「囲む」が成立するパターンを実現する。
【考案の効果】
【０００８】
三角形のコマは従来の円形コマにはない「辺」という要素を持つため、「はさむ」に加え「囲む」ことでも一手で相手のコマを裏返せるパターンづくりが可能となった。
【０００９】
コマと盤面の基本形状に二等辺直角三角形を採用したことにより、「はさむ」は縦、横、「囲む」では縦、横に加え４５度斜め方向の置きゴマが可能となった。
【００１０】
二等辺直角三角形の性質から長辺と短辺の差が生じ、「はさむ」または「囲む」手に対し、成立、不成立という複雑なゲーム性をも与えることができた。
【図面の簡単な説明】
【００１１】
【図１】図１はコマと盤面の基本パターンである。（実施例１、２）
【図２】図２は盤面の座標系である。（実施例３）
【図３】図３は「はさむ」成立不成立パターンである。（実施例４）
【図４】図４は「囲む」成立パターンである。（実施例５）
【図５】図５は盤面最外周での「はさむ」「囲む」成立不成立パターンである。（実施例６）
【実施例１】
【００１２】
盤面を７２分割する基本パターンは、図１（イ）、（ロ）の２通りとする。
【実施例２】
【００１３】
置きゴマの基本パターンである初手は（イ）（ロ）各盤面分割パターンに対して図１の通りとし、いずれかの局面より先手番で勝負を開始する。
【実施例３】
【００１４】
盤面の位置を特定するために各対戦者の向きに対し、図２のようにアルファベットと数字を用いた座標系を定める。
【実施例４】
【００１５】
「はさむ」手は、図３のように自コマの同じ長さの辺が向き合い、縦横いずれか直線的にかつ平行して相手のコマを偶数個はさんだ場合に成立する。
【００１６】
自コマの異なる長さの辺が向き合い、直線的に相手のコマを奇数個はさむ場合には「はさむ」手は成立しない。
【実施例５】
【００１７】
「囲む」手は、図４のように自コマによって１個以上の相手のコマのすべての辺を囲んだ場合に成立する。
【実施例６】
【００１８】
盤面の最外周では少ない数のコマでも「はさむ」または「囲む」が成立するパターンを図５に示す。
【実施例７】
【００１９】
対戦は常に相手のコマと「はさむ」「囲む」いずれかのパターンが成立するように展開させる。
【００２０】
「はさむ」「囲む」いずれにおいても、自らはさまれたり囲まれたりするように自コマを置く手を可能とし、この場合にはコマは裏返らないものとする。
【図１】
0003178033.tif 000003
【図２】
0003178033.tif 000004
【図３】
0003178033.tif 000005
【図４】
0003178033.tif 000006
【図５】
0003178033.tif 000007
(57)【要約】      （修正有）【課題】窓際の外下縁際に取付けて飛来してくるカメムシを大量に捕獲できるようにし、しかも捕獲されたカメムシには手を触れることなく、又有害ガスの発生も少なく簡単に焼却処分ができ、且つ安価なカメムシ捕獲器を提供する。【解決手段】少なくとも前面板と後面板が段ボール紙よりなる四角状の捕集箱体の上下の一方或は両方の侵入口部に、四角状の捕集箱体の内部方向にカメムシの落ち込み或は入り込み自在の弁体を取り付けて、捕集箱体内部に侵入するカメムシを捕獲自在としたものである。【選択図】図１
0003178091.tif 000002
【実用新案登録請求の範囲】
【請求項１】
少なくとも前面板と後面板が段ボール紙よりなる四角状の捕集箱体の上下の一方或は両方の侵入口部に、四角状の捕集箱体の内部方向にカメムシの落ち込み或は入り込み自在の弁体を取り付けて、捕集箱体内部に侵入するカメムシを捕獲自在としたカメムシ捕獲器である。
【考案の詳細な説明】
【技術分野】
【０００１】
本考案は山村に多く発生するカメムシの捕獲器に関する。
【背景技術】
【０００２】
従来、悪臭・異臭を放つカメムシ類の捕獲、退治等に関しては誘引材などを入れ、或は入れない状態でのガラス・プラスチック製などの瓶、袋、箱状等の容器の上に漏斗状の落とし穴などを設け、容器の中に入ったカメムシ類は外に逃げられないように工夫したものが多く存在する。これらは捕獲に際してはそこそこの効果を発揮しているが、捕獲後のカメムシの処理は、容器内から捕獲されたカメムシを取り出し殺虫するなどの方法が取られている。然しながら落とし穴の口が狭いため捕獲量が少なく、又捕獲されたカメムシの後処理においては、捕獲されたカメムシ類を手作業により一定箇所に掻き集め殺虫する作業が行われるが、カメムシは異臭・悪臭を放つため困難を極め、又容器自体の焼却処分等においても有害ガスなどが発生する恐れがあるためあまり使用されていないのが現状である。
【０００３】
【考案の概要】
【考案が解決しようとする課題】
【０００４】
そこで本考案は、窓際の外下縁際に取付けて飛来してくるカメムシを大量に捕獲できるようにし、しかも捕獲されたカメムシには手を触れることなく、又有害ガスの発生も少なく簡単に焼却処分ができ、且つ安価なものを提供しようとするものである。
【課題を解決するための手段】
【０００５】
本考案は、少なくとも前面板と後面板が段ボール紙よりなる四角状の捕集箱体の上下の一方或は両方の侵入口部に、四角状の捕集箱体の内部方向にカメムシの落ち込み或は入り込み自在の弁体を取り付けて、捕集箱体内部に侵入するカメムシを捕獲自在としたものである。
【考案の効果】
【０００６】
本考案の効果として、窓際の外下縁際に沿って取付けられるので侵入口部も横巾が広く飛来してくるカメムシを大量に捕獲でき、しかも捕獲されたカメムシには手を触れることなく直接火の中に投げ入れて焼却するなり、各自治体が採用する燃えるゴミ袋に密閉し、殺虫剤で駆除して捨てるなりすることができ、又大部分が段ボール紙となっているので焼却しても有害ガスの発生することが少なく、且つ大部分が段ボール紙であるので安価に提供できる利点がある。
【図面の簡単な説明】
【０００７】
【図１】本案に係るカメムシ捕獲器の断面説明図図。
【実施例】
【０００８】
本案を図示の実施例により詳記すると、前面板１と後面板２が段ボール紙よりなる四角状の捕集箱体３の上下の一方或は両方の侵入口部４，５に、四角状捕集箱体３の内部方向にカメムシの落ち込み或は入り込み自在の弁体６を取り付けて、捕集箱体３内部に侵入するカメムシを捕獲自在としたものである。
【０００９】
前面板１と後面板２の横巾は、一般住宅の窓巾に対応する巾が望ましいが、窓巾より狭いものであっても複数個の捕獲器を取り付ければよい。
【００１０】
弁体６の取付に際しては前面板１に約４５度の傾斜を持たせた切込み７を設け、この切込み７に厚紙状の弁体６を挿し込み、挿し込み後は弁体６の基部６’を前面板１に固定する。勿論弁体６の取付はその他の汎用の手段でよい。
【００１１】
カメムシは暖かく明るいところの窓の隙間などに集中的に侵入・集まる習性がある。そこで後面板２を窓の外下縁際に沿ってガムテープなどで取付ける。飛来してきたカメムシは侵入口部４、或は５から弁体６を押し開けて捕集箱体３内に侵入し、侵入したカメムシは弁体６によって外部に出られず、捕集箱体３内に捕獲される。
【００１２】
尚捕集箱体３の側板８は、前面板１、後面板２などと一体的に構成してもよいが、前面板１と後面板２の中間に側板８と同じ高さのスペーサー(図示せず。)を別体として設けてもよい。側板８、スペーサーを別体で設ける場合は焼却する際に有害ガスの発生の少ない素材のものがよく、又捕集箱体３の前面板１の前に更に捕集箱体３を重ねて作っても良く、その場合は後方の前面板１が後面板２になる。
【符号の説明】
【００１３】
１：前面板
２：後面板
３：四角状の捕集箱体
４：侵入口
５：侵入口
６： 弁体
７：切込み
８：側板
【図１】
0003178091.tif 000003
(57)【要約】      （修正有）【課題】入院時において病室の中が狭く、食事に必要な用具、身の回りを清潔にする用具や事務用品など、引き出しの中が整理整頓できる病室内食事用具等保管具を提供する。【解決手段】入院時の忘れ物防止と、病室に入ってから整理整頓出来るように食事用の用具を内側の複数個のポケット１に分類して入れ、身の回りの手入れのための器具、事務用品を外側の複数個のポケットに分類して入れ、一つの保管具にひとまとめにすることを特徴とする。【選択図】図２
0003178678.tif 000002
【実用新案登録請求の範囲】
【請求項１】
厚めで硬めの生地裏面に内側ポケットとして（１）を複数個設け，更に内部を開く事が出来る予備ポケット（３）を設け，予備ポケットを固定するための面ファスナー凸部（６）（８）と凹部（７）（９）を設け、表面の生地に外側ポケット（２）を複数個設け，装飾固定布（４）の裏側に面ファスナー凸部（５）と表面生地側に凹部（１０）を取り付けて梱包する病室内食事用具等保管具。
【請求項２】
厚めで硬めの生地をビニール・皮などの素材に変えて使用できる請求項１に記載の病室内食事用具等保管具。
【請求項３】
外側の生地に花・樹木・小鳥・小魚・昆虫・犬・猫の絵を書いた生地を使用する事が出来る請求項1及び請求項２記載の病室内食事用具等保管具。
【考案の詳細な説明】
【技術分野】
【０００１】
本考案は、入院時に病室で必要とされる、食事に必要な用具・身の回りを清潔にしておく用具・事務用品などを整理して保管しておく保管具に関する。
【背景技術】
【０００２】
従来，入院の際，病室で食事用の用具などや身の回りの手入れのための用具，事務用品は適切な置き場がなく，困る事が多くある。
【先行技術文献】
【特許文献】
【０００３】
【特許文献１】特開２００６−３４６３９０
【特許文献２】特開２００４−１３５９４４
【特許文献３】特開２００４−１５９３１６
【特許文献４】実登３１０６９７３
【特許文献５】実登３０２２４０２
【考案の概要】
【考案が解決しようとする課題】
【０００４】
従来、入院時には洗面用具をはじめとして様々な入院に必要なものを用意しなければならない。これらは病室に備えられている戸棚や引出しに保管する。食事に必要な箸、スプーン、フォーク、果物ナイフ、缶切り等々、また身の回りを手入れする爪切り、耳かき等々、鉛筆、ボールペン，メモ用紙、はさみ等々の事務用品などが引き出しの中に雑然と入れてあることが多い。
また一人暮らしの者が多い現在、突然入院の必要が出来て、それから慌てて準備する者もいるが、非常持ち出しのように、入院時に用意しなければならないものは常日頃から用意しておく必要がある。
【課題を解決するための手段】
【０００５】
従来、入院時には洗面用具をはじめとして様々な入院に必要なものを用意しなければならない。これらは病室に備えられている戸棚や引出しに保管する。食事に必要な箸、スプーン、フォーク、果物ナイフ、缶切り等々、また身の回りを手入れする爪切り、耳かき等々、鉛筆、ボールペン，メモ用紙、はさみ等々の事務用品などが引き出しの中に雑然と入れてあることが多い。
また一人暮らしの者が多い現在、突然入院の必要が出来て、それから慌てて準備する者もいるが、非常持ち出しのように、入院時に用意しなければならないものは常日頃から用意しておく必要がある。
【考案の効果】
【０００６】
（１）狭い病室の戸棚の引き出しの中が整理整頓出来る。また箸等食事に必要なもの，爪きり等身の回りの手入れをするもの、メモ用紙等の事務用品などを分類して収納できるので  必要な時に必要なものがすぐ使える。
（２）箸等食事に必要な用具を分類して収納できるので衛生的である。
（３）とかく病室内は殺風景で、気持ちが落ち込みがちであるが、デザインを可愛くしたので、病室内でもおしゃれな気分を味わえ、気持ちが明るくなる。
【図面の簡単な説明】
【０００７】
【図１】折り畳んだ状態の斜視図
【図２】内側を開いて用具を見せている説明図
【図３】用具を入れる前の内側説明図
【図４】外側のポケットに物を入れている説明図
【図５】内側と外側に用具を入れて折り畳んだ説明図
【考案を実施するための形態】
【０００８】
以下本考案を実施するための最良の形態について説明する。
厚めで硬めの生地を使用して、図２のように内側に複数個のポケット（１）図４のように外側にも複数個のポケットを設けた。
図３は用具を入れる前の内側であるが、（１）は小さく分かれた複数個のポケットで、箸、スプーンなどを入れる。これらに入らないもののために予備のポケット（３）を設けた。予備のポケット（３）は面ファスナーの凸部（６）（８）及び凹部（７）（９）で深さを調節できるようにした。
二つ折りの折り目（１１）で折りたたみ  装飾固定布（４）で覆い、面ファスナー凸部 （５）と凹部（１０）を貼り合せて保管する。
図４は、外側を示したが、外側にはハサミ、筆記用具、メモ用紙など事務用品を入れ、食事に使うものとは区別した方が良い。
入れるものが多いと全体が膨らむので装飾固定布（４）には襞をつけた。このため全体が可愛い雰囲気になり、とかく暗くなりがちな病院生活を楽しくする目的もある。
【産業上の利用可能性】
【０００９】
本考案は病室内で必要なものをまとめて保管するものであるが、突然の入院に備えて日頃から用意しておく必要があるが、他にも避難時の非常持ち出し用品として準備しておく必要がある。
またキャンプをするときにも、一式用意しておくと便利である。
レストラン、食堂に入る際に、マイ箸だけでなく、スプーン、フォークなどと一緒にバックに入れて置くことも出来る。
【符号の説明】
【００１０】
（１）内側ポケット
（２）外側ポケット
（３）予備ポケット
（４）装飾固定布
（５）装飾固定布内側、面ファスナー凸部
（６）予備ポケット内、面ファスナー凸部
（７）予備ポケット内、面ファスナー凹部
（８）予備ポケット内、面ファスナー凸部
（９）予備ポケット内、面ファスナー凹部
（１０）面ファスナー凹部
(１１) 二つ折りの折り目
【図１】
0003178678.tif 000003
【図２】
0003178678.tif 000004
【図３】
0003178678.tif 000005
【図４】
0003178678.tif 000006
【図５】
0003178678.tif 000007
(57)【要約】      （修正有）【課題】乾燥機付浴室での使用を想定し、乾燥機からの熱風によりハンガーが変形することを抑え、且つ乾燥機からの熱風を極力遮ることなく洗濯物に届く構造を有した、乾燥機付浴室においても使用しやすい物干し具を提供する。【解決手段】枠体に通気用のスリット１を設け、枠体の変形を防止する為に補強用吊り具３１と耐熱に優れた材質をフック部に使用する。【選択図】図２
0003178671.tif 000002
【実用新案登録請求の範囲】
【請求項１】
竿などに掛ける為のフック部と、フック部と枠体とを繋ぐ連結部と、枠体と、その枠体に吊り下げた複数個のピンチとを備えた合成樹脂製の物干し具であって、枠体には通気用のスリットを１箇所以上設けたことを特徴とする物干し具。
【請求項２】
通気用のスリットは、枠体の天面部に略垂直方向に設けたことを特徴とする請求項１記載の物干し具
【請求項３】
連結部は、枠体長手方向中央付近とフック部付近を繋ぐ補強用吊り部を含むことを特徴とする請求項１または２記載の物干し具。
【請求項４】
フック部は他の部材より耐熱性のある材料を使用していることを特徴とする請求項１〜３記載の物干し具
【考案の詳細な説明】
【技術分野】
【０００１】本考案は、主に乾燥機付浴室で洗濯物を干すために使用する洗濯物干し具に関するものである。
【背景技術】
【０００２】洗濯物を干す際に使用される洗濯物物干し具は、従来より種々のタイプがあり、広く利用されている。【０００３】一般的には、枠体に複数のピンチが付いており竿等に掛けられるようになったフックを備えたハンガーや主にタオル干しに利用されるタオル干し用のハンガーなどが市販されている。【０００４】これらは、主に屋外で使用され、利便性や価格面からポリプロピレンなどの合成樹脂を材料にしたものが多かったが、最近は、より耐久性のあるアルミニウムやステンレス鋼の金属を枠体等に使用したものも利用されている。【０００５】また、最近、乾燥機を備えた浴室が増え、生活環境等の変化もあり、天気の良い日においても、屋内で洗濯物を干すことも増えてきている。【０００６】現状、浴室乾燥機に対応した物干し具がなく、屋内の乾燥機付浴室で洗濯物を干す際は、従来からの一般的な洗濯物干し具が利用されている。【０００７】しかし、一般的な合成樹脂製の物干し具の場合、乾燥機付浴室で使用すると、洗濯物の荷重がかかりやすいフックの部分や枠体の部分が荷重で撓んだ状態で、浴室乾燥機からの熱風の影響により、その状態のまま変形してしまうことがある。【０００８】一般的な金属製の物干し具の場合、乾燥機付浴室で使用すると、乾燥機の熱風により物干し具自体が熱を持つこと、また、一般的に狭い浴室内では、物干し具自体が重い金属製の物干し具は使用しにくいという問題があった。
【考案の概要】
【考案が解決しようとする課題】
【０００９】本考案の目的は、乾燥機付浴室での使用を想定し、乾燥機からの熱風によりハンガーが変形することを抑え、且つ乾燥機からの熱風を極力遮ることなく洗濯物に届くようにする構造を有した、乾燥機付浴室においても使用しやすい物干し具を提供することにある。
【課題を解決するための手段】
【００１０】上記目的を達成するために第１考案の物干し具は、竿などに掛ける為のフック部と、フック部と枠体とを繋ぐ連結部と、枠体と、その枠体に吊り下げた複数個のピンチとを備えた合成樹脂製の物干し具であって、枠体には通気用のスリットを１箇所以上設けたことを特徴とする。【００１１】第２考案の物干し具は、第１考案の物干し具において、通気用のスリットは、枠体の天面部に略垂直方向に設けたことを特徴にする。【００１２】第３考案の物干し具は、第１考案または第２考案の物干し具において、連結部は、枠体長手方向中央付近とフック部付近を繋ぐ補強用吊り部を含むことを特徴とする。【００１３】第４考案の物干し具は、第１〜３考案の物干し具において、フック部は他の部材より耐熱性のある材料を使用していることを特徴とする。
【考案の効果】
【００１４】第１の考案によれば、枠体には通気用のスリットを１箇所以上設けることによって、浴室乾燥機からの熱風が枠体に遮られる面積が減り、風の通り道を増やすことができる。【００１５】第２の考案によれば、通気用のスリットは、枠体の天面部に略垂直方向に設けたことによって、主に枠体上方から熱風の通り道をより効率的に確保することができる。【００１６】第３の考案によれば、連結部は枠体長手方向中央付近とフック部付近を繋ぐ補強用吊り部を含むことによって、第１考案または第２考案の枠体に通気用スリットを設けた枠体の強度を補強し、熱風による枠体の変形を防ぐことができる。【００１７】第４の考案によれば、フック部は他の部材より耐熱性のある材料を使用していることによって、第１〜第３の考案のフック部の耐熱性を高め、熱風によるフック部の変形を防ぐことができる。
【考案を実施するための形態】
【００１８】図１は本考案の実施形態を示す斜視図であり、１０は枠体、２０はフック部、３０は枠体１０とフック部２０を繋ぐ連結部、４０は枠体に吊り下げたピンチである。
【００１９】枠体１０に通気の為のスリット１を複数箇所設けている。
【００２０】スリット１は枠体の天面部に垂直方向に向けて設けている。
【００２１】連結部３０は、補強用吊り部３１を追加し、枠体の長手方向中央部付近１１とフックベース部２１とを連結してる。
【００２２】フック部２０は、ポリカーボネートの原料樹脂で成形したものを使用している。
他の部材は、ポリプロピレンの原料樹脂で成形したものを使用している。
【００２３】以上、本考案の一実施例について説明したが、本考案は上記実施例に限定されるものではなく、適宜変形実施可能である。
【図面の簡単な説明】
【００２４】
【図１】  本考案に係る物干し具の一実施例を示す斜視図である。
【図２】  本考案に係る物干し具の一実施例を示す平面図である。
【符号の説明】
【００２５】    １    スリット
１０  枠体
１１  枠体長手方向中央部
２０  フック部
２１  フックベース部
３０  連結部
３１  補強吊り部
４０  ピンチ
【図１】
0003178671.tif 000003
【図２】
0003178671.tif 000004